(57)【特許請求の範囲】
【請求項１】
水平片と該水平片の外側端部からほぼ下方に垂下される垂下片とからなる防水板材を可塑剤が添加された塩化ビニルで形成し、軒先部外方に下側に雨樋が吊下げられるポリカーボネートで形成した雨樋吊具を取着し、防水板材を垂下片が軒先部の上面の外側端部より垂下されてその下端部が雨樋吊具の直ぐ真上に位置するように水平片を軒先部上面に取着して防水板材を軒先部に敷設し、雨樋吊具の上記敷設された防水板材の垂下片の下端部の真下に位置する部位に該雨樋吊具と防水板材の垂下片とが接触するのを阻止すると共に防水板材から流下する可塑剤が雨樋吊具に付着するのを阻止する可塑剤が添加されない合成樹脂で形成されるカバー部材を着脱自在に雨樋吊具に設けるものであって、カバー部材の雨樋吊具の軒先部への取着方向両側に防水板材から流下する可塑剤が雨樋吊具に付着するのを阻止するフランジ部を形成して成ることを特徴とするカバー部材付き雨樋吊具。
【発明の詳細な説明】
【０００１】
【発明の属する技術分野】
本発明は、ベランダや軒先のような軒先部に取着される雨樋を吊るための雨樋吊具に関するものである。
【０００２】
【従来の技術】
従来より、建物の軒先やベランダ床の外側端部といったような軒先部２に雨樋３を配置するには、軒先部２に雨樋３を吊下げるための雨樋吊具４を取着し、この雨樋吊具４より雨樋３を吊り下げるものであった。
【０００３】
軒先部２には、防水のための防水板材１を軒先部２の上面に貼着したりして敷設するもので、この防水板材１は、可塑剤が添加された塩化ビニル等の合成樹脂で形成されるものであった。そして、この軒先部２に取着される雨樋吊具４は、ポリカーボネート等の合成樹脂で形成されるもので、軒先部２に敷設される防水板材１の垂下片１２の下端部の直ぐ下に配置されるものであった。
【０００４】
ところが、このように防水板材１の垂下片１２の下端部の直ぐ下に配置される雨樋吊具４は、防水板材１の垂下片１２と接触して防水板材１を形成する合成樹脂に添加されている可塑剤が雨樋吊具４に付着し、この可塑剤によって雨樋吊具４を形成するポリカーボネート等の合成樹脂にクラック発生等の悪影響を及ぼしてしまうものであった。
【０００５】
【発明が解決しようとする課題】
本発明は上記の点に鑑みてなされたものであり、その目的とするところは、軒先部に敷設される防水板材の垂下片の下端部の近傍に配置される雨樋吊具と防水板材とが接触し、防水板材を形成する塩化ビニルに添加されている可塑剤が雨樋吊具に付着して雨樋吊具を形成するポリカーボネートにクラック発生等の悪影響を及ぼしてしまうことのないカバー部材付き雨樋吊具を提供することを課題とするものである。
【０００６】
【課題を解決するための手段】
上記課題を解決するために本発明に係るカバー部材付き雨樋吊具は、水平片１１と該水平片１１の外側端部からほぼ下方に垂下される垂下片１２とからなる防水板材１を可塑剤が添加された塩化ビニルで形成し、軒先部２外方に下側に雨樋３が吊下げられるポリカーボネートで形成した雨樋吊具４を取着し、防水板材１を垂下片１２が軒先部２の上面の外側端部より垂下されてその下端部が雨樋吊具４の直ぐ真上に位置するように水平片１１を軒先部２上面に取着して防水板材１を軒先部２に敷設し、雨樋吊具４の上記敷設された防水板材１の垂下片１２の下端部の真下に位置する部位に該雨樋吊具４と防水板材１の垂下片１２とが接触するのを阻止すると共に防水板材１から流下する可塑剤が雨樋吊具４に付着するのを阻止する可塑剤が添加されない合成樹脂で形成されるカバー部材５を着脱自在に雨樋吊具４に設けるものであって、カバー部材５の雨樋吊具４の軒先部２への取着方向両側に防水板材１から流下する可塑剤が雨樋吊具４に付着するのを阻止するフランジ部５３を形成して成ることを特徴とするものである。このような構成とすることで、防水板材１が敷設された軒先部２に雨樋３を吊下げるための雨樋吊具４を取着する場合に、防水板材１の垂下片１２と雨樋吊具４とが当接して防水板材１を形成する塩化ビニルに添加された可塑剤が雨樋吊具４に付着したり、あるいは防水板材１より可塑剤が流下して直接雨樋吊具４に付着したりして、雨樋吊具４を形成するポリカーボネートが付着した可塑剤によって変質してクラックが発生したりしてしまうのを、雨樋吊具４に着脱自在に取着したカバー部材５によって必要に応じて可塑剤が付着するの阻止することで防止することが可能となるものであり、カバー部材５に形成したフランジ部５３によって、防水板材１の垂下片１２が雨樋吊具４に当接したり防水板材１より流下した可塑剤がカバー部材５の端縁より雨樋吊具４に付着したりするのを防止することができる。
【０００９】
【発明の実施の形態】
以下、本発明の一実施形態について、添付図面に基づいて説明する。
【００１０】
本実施形態におけるカバー部材５付きの雨樋吊具４は、軒先部２に雨樋３を配置するための雨樋吊具４に取り付けるカバー部材５である。
【００１１】
軒先部２は、建物のひさしとなる軒先やベランダ床の外側端部等の部分で、そのすぐ外側の若干下方に雨樋３が配置されるものである。この軒先部２は、上端部が例えばひさしのような傾斜板か、あるいはベランダ床のような略水平板で形成されると共に、この上端部の若干内側（建物の内方側）より下方に軒先部２の外側壁部２２が形成されるもので、図１にこのような軒先部２の外郭形状が示してある。
【００１２】
軒先部２には、上述したように雨樋３が配置されるのであるが、雨樋３を配置するための雨樋吊具４を軒先部２に取着するものである。
【００１３】
雨樋吊具４は、図２に示すように側面視大略Ｌ字状をしたもので、ポリカーボネートのような合成樹脂で形成される。この雨樋吊具４のＬ字の水平辺の内側端部には、端面が軒先部２の外側壁部２２に取着される取着部４１ｂとなると共に後述する雨樋３の内側耳部３４が係止される内側係止部４１が形成される。
【００１４】
内側係止部４１は、側面視において下方に開口する略コ字状をしたもので、内側の縦片４１ａの端面が軒先部２の外側壁部２２に取着される取着部４１ｂとなると共に、この縦片４１ａの下端部からは外側（即ち略コ字状をした内側係止部４１の内側）に向けて雨樋３の内側耳部３４を係止する内側係止片４４が突設される。また、内側係止部４１の外側の下端部からは、建物の内方側（即ち略コ字状をした内側係止部４１の内側）に向けて、係止された雨樋３の内側耳部３４が抜けるのを防止する抜け止め片４６が突設される。
【００１５】
内側係止部４１からは水平方向の外側に向けて水平連設片４２が連設される。水平連設片４２は上片４２ａと下片４２ｂとで構成され、この上片４２ａと下片４２ｂは平面視において内側係止部４１より離れる程幅狭な略台形状に形成してあり、また、上片４２ａと下片４２ｂの外側端部間には架設片４２ｃが架設される。そして、水平連設片４２の外側端部からは、上方に向けて縦連設片４３が連設される。
【００１６】
縦連設片４３は、水平連設片４２の上片４２ａと下片４２ｂの外側端部よりそれぞれ上方に連設される内縦片４３ａと外縦片４３ｂとからなる。内縦片４３ａの上端部は、外側に略直角に折曲されて外縦片４３ｂの途中に接続される。外縦片４３ｂの上端部は、内側に略直角に折曲されて雨樋３の外側耳部３５を係止する外側係止片４５が形成してある。
【００１７】
このような雨樋吊具４で吊り下げられる雨樋３は、図１に示すように、側断面が上方に開口する大略コ字状をしたもので、主に合成樹脂で形成される。雨樋３は、内側縦片３１と、内側縦片３１の下端部より外側に連設される水平底片３２と、水平底片３２の外側端部より上方に連設される外側縦片３３とからなる。内側縦片３１の上端部には、側断面が略ロ字状をした内側耳部３４が外側（即ち建物の内方側）に突出するように形成してある。外側縦片３３は、内側縦片３１よりも長く、即ち、上端部が内側縦片３１の上端部よりも上方に位置するように形成してある。外側縦片３３の上端部は、内側に略直角に折曲すると共に更に下方に略直角に折曲してあり、この先端部に外側に突出するように側断面が略ロ字状をした外側耳部３５が形成してある。
【００１８】
この雨樋３を雨樋吊具４より吊り下げるには、雨樋吊具４の内側係止部４１と縦連設片４３の下方に雨樋３の内側縦片３１と外側縦片３３をそれぞれ配置し、雨樋３を上方に持ち上げて内側縦片３１の内側耳部３４を雨樋吊具４の内側係止部４１の開口に挿入し、雨樋３の内側耳部３４を雨樋吊具４の内側係止片４４に係止させる。この時、雨樋３の内側耳部３４を雨樋吊具４の内側係止片４４と抜け止め片４６との間に押し込み、抜け止め片４６を撓ませることで雨樋３の内側耳部３４を雨樋吊具４の内側係止部４１の開口内に挿入するものである。また、これと同時に、雨樋３の外側縦片３３の内側に折曲された上端部を雨樋吊具４の縦連設片４３の上端部の外側係止片４５の上方より乗り越えさせ、雨樋３の外側耳部３５を雨樋吊具４の外側係止片４５に係止するものである。
【００１９】
このようにして雨樋３が吊り下げられる雨樋吊具４は、図１に示すように、軒先部２の外側壁部２２の上端部付近に取着されるのであるが、軒先部２の上面２１には、防水板材１が取着される。
【００２０】
防水板材１は、軒先部２の上面２１に載置して取着される水平片１１と、水平片１１の外側端部からほぼ下方（本実施形態では若干斜め下方）に垂下される垂下片１２とからなるもので、塩化ビニル等の合成樹脂に可塑剤を添加したもので形成される。可塑剤は主に、塩化ビニル等の合成樹脂で形成される防水板材１の折曲等の加工性を高めるために添加される。このような防水板材１は、垂下片１２が軒先部２の上面２１の外側端部付近より垂下されて、垂下片１２の下端部が雨樋吊具４の水平連設片４２の直ぐ真上かあるいは水平連設片４２に当接するように水平片１１を軒先部２の上面２１に取着して防水板材１を軒先部２に敷設するものである。そして、このように軒先部２に敷設された防水板材１の垂下片１２が雨樋吊具４の水平連設片４２に当接したりすると、防水板材１を形成する合成樹脂に添加されている可塑剤が雨樋吊具４に付着し、この可塑剤によって雨樋吊具４を形成するポリカーボネート等の合成樹脂にクラック発生等の悪影響を及ぼしてしまうため、可塑剤の付着を阻止するためのカバー部材５を雨樋吊具４の水平連設片４２に取り付けるものである。
【００２１】
カバー部材５は、雨樋吊具４の水平連設片４２の上片４２ａとほぼ同形の台形状をしてこの上片４２ａの上側に当接するかバー上片５１と、カバー上片５１の台形の両斜辺（即ち台形の建物外方側の辺と建物内方側の辺とを結ぶ辺）より垂下される側面視略矩形状をしたカバー側片５２と、カバー上片５１とカバー側片５２の建物外方側と内方側の端縁より連設されるフランジ部５３とからなる略コ字状をしたもので（図３，図４参照）、可塑剤が添加されていない合成樹脂で形成される。
【００２２】
このカバー部材５は、雨樋吊具４の水平連設片４２に上方より嵌め込み、カバー上片５１が雨樋吊具４の上片４２ａの上面に当接すると共に、カバー側片５２で水平連設片４２の上片４２ａと下片４２ｂとを側方より覆うように取り付けるものである。
【００２３】
このようにすることで、防水板材１が敷設された軒先部２に雨樋３を吊下げるための雨樋吊具４を取着する場合に、防水板材１の垂下片１２と雨樋吊具４の水平連設片４２とが当接して防水板材１を形成する塩化ビニル等の合成樹脂に添加された可塑剤が雨樋吊具４に付着したり、あるいは防水板材１より可塑剤が流下して直接雨樋吊具４に付着したりして、雨樋吊具４を形成するポリカーボネート等の合成樹脂が付着した可塑剤によって変質してクラックが発生したりしてしまうところを、雨樋吊具４に取着したカバー部材５によって可塑剤が付着するの阻止することで雨樋吊具４に可塑剤が付着してクラックが発生したりするのを防止することができる。また、カバー部材５を雨樋吊具４に対して着脱自在に取着するようにしたことで、必要に応じてカバー部材５を雨樋吊具４に取着することが可能となる。また、カバー部材５にフランジ部５３を形成したことで、防水板材１の垂下片１２が雨樋吊具４の内側係止部４１や縦連設片４３に当接したり、あるいは防水板材１より流下した可塑剤がカバー部材５の端縁より雨樋吊具４に付着したりするのを防止することができる。
【００２４】
【発明の効果】
上記のように本発明の請求項１記載の発明にあっては、水平片と該水平片の外側端部からほぼ下方に垂下される垂下片とからなる防水板材を可塑剤が添加された塩化ビニルで形成し、軒先部外方に下側に雨樋が吊下げられるポリカーボネートで形成した雨樋吊具を取着し、防水板材を垂下片が軒先部の上面の外側端部より垂下されてその下端部が雨樋吊具の直ぐ真上に位置するように水平片を軒先部上面に取着して防水板材を軒先部に敷設し、雨樋吊具の上記敷設された防水板材の垂下片の下端部の真下に位置する部位に該雨樋吊具と防水板材の垂下片とが接触するのを阻止すると共に防水板材から流下する可塑剤が雨樋吊具に付着するのを阻止する可塑剤が添加されない合成樹脂で形成されるカバー部材を着脱自在に雨樋吊具に設けるものであって、カバー部材の雨樋吊具の軒先部への取着方向両側に防水板材から流下する可塑剤が雨樋に付着するのを阻止するフランジ部を形成したことで、防水板材が敷設された軒先部に雨樋を吊下げるための雨樋吊具を取着する場合に、防水板材の垂下片と雨樋吊具とが当接して防水板材を形成する塩化ビニルに添加された可塑剤が雨樋吊具に付着したり、あるいは防水板材より可塑剤が流下して直接雨樋吊具に付着したりして、雨樋吊具を形成するポリカーボネートが付着した可塑剤によって変質してクラックが発生したりしてしまうのを、雨樋吊具に着脱自在に取着したカバー部材によって必要に応じて可塑剤が付着するの阻止することで防止することが可能となるものであり、更にカバー部材にフランジ部を形成したことで、防水板材の垂下片が雨樋吊具に当接したり、あるいは防水板材より流下した可塑剤がカバー部材の端縁より雨樋吊具に付着したりするのを防止することができる。
【図面の簡単な説明】
【図１】本発明の一実施形態の側面図である。
【図２】同上の実施形態における雨樋吊具を示し、（ａ）は側面図であり、（ｂ）は平面図である。
【図３】同上の実施形態におけるカバー部材を示し、（ａ）は平面図であり、（ｂ）は建物の内外方向から見た側面図であり、（ｃ）は（ｂ）に直交する方向から見た側面図である。
【図４】同上の斜視図である。
【図５】従来例の側面図である。
【符号の説明】
１  防水板材
１１  水平片
１２  垂下片
２  軒先部
２１  上面
３  雨樋
４  雨樋吊具
５  カバー部材
【図１】
0003599007.tif 000002
【図２】
0003599007.tif 000003
【図３】
0003599007.tif 000004
【図４】
0003599007.tif 000005
【図５】
0003599007.tif 000006